(57)【要約】【課題】補強と内張り下地を兼ねた天換気窓装備のパイプ温室の開発。【解決手段】本課題を解決する手段として、パイプ温室を構成するアーチパイプを２重構造とし、外側アーチパイプ、内側アーチパイプとも、２本のパイプを強固に固定して埋設した基礎に差し込み、金具で固定する。左右の外側アーチパイプ同士を上部で接続する。内側アーチパイプを互いに交差させ、交差部を金具で固定し、左右それぞれの先端部を対向する外側アーチパイプの接続部より下部の位置で一定の距離をおいて固定する。外側と内側のアーチパイプの湾曲部の下部を左右それぞれ固定金具で固定する。外側アーチパイプを接続する際、片方のパイプの先端部を対向するパイプの先端部より一定の距離をおいて下部に固定し、そのパイプの先端部に天換気窓枠を取り付ける。【選択図】　図１
2004073015.tif 000002
【特許請求の範囲】
【請求項１】
パイプ温室を構成するアーチパイプを２重構造とし、外側アーチパイプ、内側アーチパイプとも、２本のパイプまたは丸棒を強固に固定して埋設した基礎に差し込み、金具で固定する。左右の外側アーチパイプ同士を上部で接続する。内側アーチパイプを互いに交差させ、交差部を金具で固定し、左右それぞれの先端部を対向する外側アーチパイプの上部接続部より下部の位置で一定の距離をおいて固定する。外側と内側のアーチパイプの湾曲部の下部を左右それぞれ固定金具で固定する。以上の構造を有し、内側アーチパイプを内張り下地として利用するパイプ温室。
【請求項２】
請求項１記載の左右の外側アーチパイプを接続する際、片方のパイプの先端部を対向するパイプの先端部より一定の距離をおいて下部に固定し、そのパイプの先端部に天換気窓枠を取り付けるパイプ温室の換気工法。
【発明の詳細な説明】
【０００１】
【発明の属する技術分野】
本発明はパイプ温室を補強すると同時に内張り下地として利用可能な構造体を構築し、安価な換気装置を提供するためのパイプ温室構造に関する。
【０００２】
【従来の技術】
従来のパイプ温室では左右それぞれ一対のアーチパイプで構成されているため、強度が弱く毎年、台風や積雪による被害が後を絶たない。そのため従来の補強方法としてはより口径の大きなパイプを使用する方法、２本のアーチパイプを多数の固定金具で平行に固定する方式や溶接などでトラス状に成形する方式、ストレートパイプで交叉させながら母屋同士を固定する方式などが用いられている。また、内張りを必要とする場合は内部にアーチ状の構造体を別途に構築する必要があった。換気装置に関しては安価で堅牢な天換気装置が待望されている。
【０００３】
【発明が解決しようとする課題】
従来の技術では強度を増すためにはより大きな径のパイプを利用したり、多量の部材や手間を要したり、特に内張り下地を必要とする場合や、換気装置を設ける場合は大変高額な設備費を要するという問題点があった。
【０００４】
【課題を解決するための手段】
本課題を解決する手段として、パイプ温室を構成するアーチパイプを２重構造とし、外側アーチパイプ、内側アーチパイプとも、２本のパイプを強固に固定して埋設した基礎に差し込み、金具で固定する。左右の外側アーチパイプ同士を上部で接続する。内側アーチパイプを互いに交差させ、交差部を金具で固定し、左右それぞれの先端部を対向する外側アーチパイプの接続部より下部の位置で一定の距離をおいて固定する。外側と内側のアーチパイプの湾曲部の下部を左右それぞれ固定金具で固定する。外側アーチパイプを接続する際、片方のパイプの先端部を対向するパイプの先端部より一定の距離をおいて下部に固定し、そのパイプの先端部に天換気窓枠を取り付ける。
【０００５】
【発明の実施の形態】
図１において、アーチパイプの内径よりもわずかに小さな径の２本の肉厚のパイプを一定の間隔で溶接固定した基礎１を間口に合わせて埋設し、コンクリートで固定する。外側アーチパイプ２，３と内側アーチパイプ４，５をそれぞれの基礎のパイプに高さ調整固定金具６のボルトを締め付け固定する。外側アーチパイプは片方の先端部を対向するパイプの先端部より一定の距離をおいて下部の位置に固定金具７で固定する。内側アーチパイプ４，５は互いに交差させながら対向する外側アーチパイプの上部接続部より一定の距離を置いて下部の位置に固定金具８で固定する。交差部は固定金具９で内張り用棟パイプ１０と固定する。外側アーチパイプ２と内側アーチパイプ４の湾曲部の下部の位置を固定金具１１で固定する。対向する外側アーチパイプ３と内側アーチパイプ５の湾曲部の下部の位置を固定金具１１で固定する。このようにして２基の基礎と４本のアーチパイプで構成された合掌ユニットを一定の間隔で必要数布設し、棟パイプ１２と固定金具１３でそれぞれを連結する。
【０００６】
図２、図３に示される実施例では外側アーチパイプ２の先端部に自在回転する金具１５を取り付け、天換気窓枠縦パイプ１４を結合、その下部に天換気窓枠横パイプ１６を固定金具１７で固定する。外側アーチパイプ２の先端部、天換気窓枠縦パイプ１４の上端部、天換気窓枠横パイプ１６の側面部、天換気窓枠横パイプ１６と外側アーチパイプ３が接する位置の上部にそれぞれフィルム取り付けレール１８，１９，２０，２１をビスで固定する。シャフトパイプ２２、ラック２３、ピニオン２４、シャフトパイプ支持金具２５は可動装置の一例で、シャフトを回転することにより、ラック２２がスライドし、ラックに取り付けられた天換気窓枠が開閉できる。
【０００７】
図４に示される実施例では内張り実施例として内張り用フィルム２６，２７を内張り用棟パイプ１０に上部を取り付け、下部は巻き上げパイプ２８，２９に巻付け、固定する。巻き上げパイプ２８，２９を回転することによりフィルムの開閉が容易に行える。
【０００８】
【発明の効果】
本発明は以上説明したように構成されているため、以下に記載されているような効果を有する。
【０００９】
外側、内側それぞれのアーチパイプの垂直柱部の下部は基礎と固定し、内側のアーチパイプを交差させて外側アーチパイプと連結し、交差部を固定、外側、内側のアーチパイプの湾曲部の下部を固定することにより、温室側面、温室天井面において広い面構造体を構築することが可能となり、横方向、上下方向とも大きな強度の温室を構築することができる。
【００１０】
大きな強度の温室を構築することができるため、従来よりもより広い間口の温室を構築することも可能になり、単位面積あたりの設備費を少なくすることができる。
【００１１】
内側アーチパイプを内張り用下地として利用できるため、別途に内張り下地工事をする必要がなく設備費が大幅に節約できる。
【００１２】
従来の天換気窓に比べて窓幅を狭くすることができるため開閉負荷も小さくなり、小型軽量化でき、より安価な装置となる。
【００１３】
また、天換気窓を閉じた状態では横風に対しても強風になるほどより強く押し付けられて天換気窓の浮き上がりによる被害を防ぐことができる。
【図面の簡単な説明】
【図１】パイプ温室の立体俯瞰図である。
【図２】天換気窓の取り付け実施例の立体俯瞰図である。
【図３】内張り下地の実施例である。
【符号の説明】
１　基礎
２，３　外側アーチパイプ
４，５　内側アーチパイプ
６　高さ調整固定金具
７　外側アーチパイプ固定金具
８　内側アーチパイプ固定金具
９　内張り用棟パイプと内側アーチパイプ固定金具
１０　内張り用棟パイプ
１１　湾曲部の下部の固定金具
１２　棟パイプ
１３　棟パイプ固定金具
１４　天換気窓枠縦パイプ
１５　自在回転金具
１６　天換気窓枠横パイプ
１７　天換気窓枠横パイプ固定金具
１８，１９，２０、２１　フィルム取り付けレール
２２　シャフトパイプ
２３　ラック
２４　ピニオン
２５　シャフト取り付け金具
２６，２７　内張り用フィルム
２８，２９　内張り巻き上げ用パイプ
３０　内張り巻上げ装置
【図１】
2004073015.tif 000003
【図２】
2004073015.tif 000004
【図３】
2004073015.tif 000005